(57)【要約】【課題】ノイズレベルの変動に追従して適切な予変調レベルを実現することができない。【解決手段】入力されたＲＦ多重信号を増幅する増幅部、増幅されたＲＦ多重信号に加算される予変調信号を出力する発振器、増幅されたＲＦ多重信号に発振器から出力された予変調信号を加算して予変調をかける加算部、加算部から出力された予変調済みのＲＦ多重信号によって駆動される半導体レーザ、半導体レーザーから出力された光信号の一部を光電変換する光電変換素子、光電変換素子の出力に基づいて光信号のノイズレベルを検出する検出部、検出部によって検出されるノイズレベルが可及的に低減されるように、前記発振器から出力された予変調信号のレベルを調整する自動利得制御部を備えた。【選択図】　　図１
2004032178.tif 000002
【特許請求の範囲】
【請求項１】
入力されたＲＦ多重信号を増幅する増幅部と、増幅されたＲＦ多重信号に加算される予変調信号を出力する発振器と、増幅部で増幅されたＲＦ多重信号に発振器から出力された予変調信号を加算して予変調をかける加算部と、加算部から出力された予変調済みのＲＦ多重信号によって駆動される半導体レーザとを備えた光伝送装置において、前記半導体レーザーから出力された光信号の一部を光電変換する光電変換素子と、光電変換素子の出力に基づいて光信号のノイズレベルを検出する検出部と、検出部によって検出されるノイズレベルが可及的に低減されるように、前記発振器から出力された予変調信号のレベルを調整する自動利得制御部とを備えたことを特徴する光伝送装置。
【発明の詳細な説明】
【０００１】
【発明の属する技術分野】
本発明は、ＲＦ多重信号の高品質長距離伝送を可能とする光伝送装置に関するものである。
【０００２】
【従来の技術】
周波数多重されたアナログ信号（ＲＦ多重信号）によって半導体レーザ（ＬＤ）を輝度変調して多チャンネル信号を一括送信すると、半導体レーザの変調度が浅い状態でノイズレベルが増大するといった問題があった。かかる問題は、伝送路を構成する光ファイバのレーリー散乱や誘導ブリュルアン散乱（ＳＢＳ）等の影響と考えられる。そこで、従来の光伝送装置では、アイソレータ付きのＬＤを用いたり、ＬＤに予変調をかけたりして前記ノイズレベルの増大を抑制していた。
【０００３】
【発明が解決しようとする課題】
ノイズレベルの増大を抑制するためにアイソレータ付きのＬＤを用いた光伝送装置に次のような課題があった。
（１）アイソレータ付きのＬＤは高価であるため、製品コストが高くなる。
（２）アイソレータの挿入損失によって出力される光信号のレベルが低下する。
【０００４】
ノイズレベルの増大を抑制するためにＬＤに予変調をかける光伝送装置には次のような課題があった。
（１）ノイズレベルは伝送路の長さや施工状態、伝送路を構成する光ファイバの種類等によって異なる。また、伝送するＲＦ信号の波数（多重数）やＬＤの特性のバラツキによっても異なる。しかし、従来の光伝送装置はこれらの変動要因に拘らず常に一定の予変調をかけるので、ノイズレベルの増大を十分に抑制できず、場合によっては過変調になってしまうこともあった。
【０００５】
【課題を解決するための手段】
本発明の目的は、低コストでありながら、ノイズレベルの増大を効果的に抑制可能な光伝送装置を提供することにある。
【０００６】
本発明の光伝送装置は、入力されたＲＦ多重信号を増幅する増幅部と、増幅されたＲＦ多重信号に加算される予変調信号を出力する発振器と、増幅部で増幅されたＲＦ多重信号に発振器から出力された予変調信号を加算して予変調をかける加算部と、加算部から出力された予変調済みのＲＦ多重信号によって駆動される半導体レーザとを備えた光伝送装置に、前記半導体レーザーから出力された光信号の一部を光電変換する光電変換素子と、光電変換素子の出力に基づいて光信号のノイズレベルを検出する検出部と、検出部によって検出されるノイズレベルが可及的に低減されるように、前記発振器から出力された予変調信号のレベルを調整する自動利得制御部とを設けた。
【０００７】
【発明の実施の形態】
（実施形態１）
本発明の光伝送装置の一実施例を図１に示す。同図に示す光伝送装置は、入力端子１及び出力端子２を備えた筐体内に、増幅部３、発振器４、自動利得制御部５、加算部６、半導体レーザモジュール（ＬＤモジュール）７、光電変換素子（ＰＤ）８、検出部９を収容したものである。
【０００８】
図１に示す増幅部３は、入力端子１に入力されたＲＦ多重信号を所定レベルまで増幅して加算部６へ出力する。
【０００９】
図１に示す発振器４は、ＲＦ多重信号の占有帯域外の発振周波数を有しており、所定周波数の予変調信号を自動利得制御部５へ出力する。自動利得制御部５は、後述する検出部９での検出結果に従って、入力された予変調信号のレベルを調整し、調整済みの予変調信号を加算部６へ出力する。
【００１０】
図１に示す加算部６は、前記増幅部３から入力された増幅済みのＲＦ多重信号に前記自動利得制御部５から入力されたレベル調整済みの予変調信号を加算してＲＦ多重信号に予変調をかけ、予変調済みのＲＦ多重信号をＬＤモジュール７へ出力する。ここで、前記発振器４はＲＦ多重信号の占有帯域外の発振周波数を有しているので、予変調信号をＲＦ多重信号に加算しても伝送信号に悪影響を及ぼすことはない。
【００１１】
図１に示すＬＤモジュール７は、前記加算部６から入力された予変調済みのＲＦ多重信号によって電流駆動されるＬＤ１０と、ＬＤ１０の安定化を図るための自動温度制御部（ＡＴＣ）１１及び自動出力制御部（ＡＰＣ）１２を備えている。尚、ＡＴＣ１１は、ＬＤ１０の温度を検出する温度検出素子と、温度検出素子の検出結果に基づいてＬＤ１０の温度を一定温度に保持するぺルチェ素子とを備えている。また、ＡＰＣ１２は図示されていないモニタ用光電気変換素子（モニタ用ＰＤ）からの出力結果に基づいてＬＤ１０の出力を制御する。
【００１２】
図１に示すＰＤ８は、分岐部１３によって分岐された光信号の一部を光電気変換してＲＦ信号を取り出し、検出部（ノイズ検出回路）９へ出力する。ノイズ検出回路９は、入力されたＲＦ信号のレベルに応じた電圧を発生し、これを自動利得制御部５の制御回路１４へ出力する。制御回路１４は、入力された電圧レベルに応じた電圧を発振器４から出力された予変調信号が入力されるＡＧＣ（例えば、ＰＩＮダイオード）１５に印加する。これによって、ＰＩＮダイオード１５から出力される予変調信号のレベルが調整され、調整済みの予変調信号が加算部６に入力される。この結果、ノイズ検出回路８によって検出されるノイズレベルが可及的に低減される予変調信号レベルが実現され、この予変調信号によってＲＦ多重信号が予変調される。
【００１３】
図１に示す出力端子２は光コネクタであり、前記ＬＤ１０から出力された多チャンネル光信号は、該光コネクタ２を介して接続された光伝送路（光ファイバ）に送出される。尚、本発明の光伝送装置から出力された光信号を光受信装置まで伝送する伝送路は、モーダルノイズの発生が少ない単一モードの光ファイバによって構成することが望ましい。そのため、図１に示すＬＤ１０から出力された光信号を光コネクタ２に導く光ファイバ１６も単一モードの光ファイバが適する。さらに、光コネクタ２は反射光がＬＤに戻るのを防ぐために斜め研磨コネクタや球面斜め研磨コネクタとすることが望ましい。
【００１４】
（実施形態２）
本発明の光伝送装置の一実施例を図２に示す。図２に示す光伝送装置の基本構成は実施形態１に示したそれと同一である。異なるのは、図１に示すＰＤ８に代えて、ＬＤ１０の出力をモニタする目的でＬＤモジュール７に装備されているモニタ用ＰＤ（図示しない）を利用したことである。これによって、図１に示す分岐部１３及びＰＤ８が不要となり、構成が簡素化される。尚、前記モニタ用ＰＤによって光電変換された信号の一部はＡＰＣ１２に入力される。
【００１５】
【発明の効果】
本発明の光伝送装置は次の効果を有する。
（１）ＬＤの変調度が浅い状態で発生するノイズレベルの増大を低コストで防止できる。
（２）ノイズレベルの変動に対応して予変調レベルが調整されるので、伝送路の長さや施工状態、伝送路を構成する光ファイバの種類、伝送するＲＦ信号の波数（多重数）、ＬＤの特性のバラツキ等に起因してノイズレベルが変動しても、ノイズレベルを可及的に低い状態に維持できる。また、過変調になることもない。
【図面の簡単な説明】
【図１】本発明の光伝送装置の実施形態の一例を示すブロック図。
【図２】本発明の光伝送装置の実施形態の他例を示すブロック図。
【符号の説明】
１　入力端子
２　出力端子（光コネクタ）
３　増幅部
４　発振器
５　自動利得制御部
６　加算部
７　ＬＤモジュール
８　光電変換素子
９　検出部
１０　ＬＤ
１１　自動温度制御部
１２　自動出力制御部
１３　分岐部
１４　制御回路
１５　ＡＧＣ
【図１】
2004032178.tif 000003
【図２】
2004032178.tif 000004